(57)【要約】【課題】通信片と、この通信片に粘着される隠蔽シート片とを備えた通信シートにおいて、第三者による書き込みや改ざんを防止するとともに、隠蔽シート片の通信片に対する再接着を不能にして開封されたことが一目瞭然となるようにすることができる記載可能範囲の広い通信シート、及びこのような通信シートを備えた通信シート用プリンター用紙を提供する。【解決手段】隠蔽シート片３は、隠蔽シート片３に積層された剥離層５と、剥離層５の上の擬似接着層６と、擬似接着層６の上の粘着層７と、粘着層７の表面を覆う剥離紙８とを備え、隠蔽シート片３の粘着層７と通信片２との粘着は維持されたまま剥離層５と擬似接着層６との間が引き剥がし可能に、かつ隠蔽シート片３側の剥離層５と擬似接着層６とが再接着不能に構成されている。【選択図】図３
2008265129.tif 000002
【特許請求の範囲】
【請求項１】
通信内容を記載した通信内容記載面を有する通信片と、
この通信内容記載面を覆うように通信片に粘着される隠蔽シート片と
を備えた通信シートであって、
上記隠蔽シート片は、
隠蔽シート片の通信片を覆う側に積層された剥離層と、
この剥離層の上に設けられた擬似接着層と、
この擬似接着層の上に設けられた粘着層と、
この粘着層の表面を覆って設けられた剥離紙とを備え、
上記隠蔽シート片は、剥離紙が粘着層から剥がされた状態で、露出した粘着層が、通信片の通信内容記載面を覆って粘着可能に構成されているとともに、
隠蔽シート片の粘着層が通信片に粘着され、隠蔽シート片が通信片から引っ張られた状態では、隠蔽シート片の粘着層と通信片との粘着は維持したまま剥離層と擬似接着層との間が引き剥がし可能に構成され、
隠蔽シート片側の剥離層と通信片側に粘着層を介して粘着されている擬似接着層とが引き剥がされた状態で、透明な粘着層と擬似接着層とを通して通信片の通信内容記載面が判読可能、かつ隠蔽シート片側の剥離層と擬似接着層とが再接着不能に構成されていることを特徴とする通信シート。
【請求項２】
上記隠蔽シート片は、折り目を介して通信片に連設されていることを特徴とする請求項１に記載の通信シート。
【請求項３】
上記隠蔽シート片は、透かし防止のための隠蔽デザインがプリントされ、
隠蔽シート片の粘着層が通信片に粘着された状態では、通信内容記載面の通信内容が隠蔽シート片もしくは通信片を透かして判読不能に構成されていることを特徴とする請求項１または請求項２のいずれか１項に記載の通信シート。
【請求項４】
上記隠蔽シート片の粘着層は、通信片の通信内容の概ね全体を覆うことができる範囲に設けられていることを特徴とする請求項１ないし請求項３のいずれか１項に記載の通信シート。
【請求項５】
上記通信片は、郵便はがきであって、通信内容記載面の裏面に宛名書き可能に構成されていることを特徴とする請求項１ないし請求項４のいずれか１項に記載の通信シート。
【請求項６】
上記隠蔽シート片は、往信用郵便はがきであって、剥離紙の表面に宛名書き可能に構成され、
上記通信片は、返信用郵便はがきであって、通信内容記載面の裏面に宛名書き可能に構成され、
これら隠蔽シート片と通信片とが往復郵便はがきを構成していることを特徴とする請求項１ないし請求項５のいずれか１項に記載の通信シート。
【請求項７】
バインダーに適用可能なバインダー孔を有するバインダー孔部を備え、
バインダーに収納可能に構成されていることを特徴とする請求項１ないし請求項６のいずれか１項に記載の通信シート。
【請求項８】
上記請求項１ないし請求項７のいずれか１項に記載の通信シートを少なくとも１個備え、
プリンターの出力用紙としてプリンターに補給して、通信片の通信内容記載面と隠蔽シート片の剥離紙の表面との両方もしくは一方にプリント可能に構成されていることを特徴とする通信シート用プリンター用紙。
【請求項９】
スプロケット給紙方式のプリンターに適用可能なスプロケット係合部を備え、
プリンターの連続出力用紙としてプリンターに補給して、通信片の通信内容記載面と隠蔽シート片の剥離紙の表面との両方もしくは一方にプリント可能に構成されていることを特徴とする請求項８に記載の通信シート用プリンター用紙。
【発明の詳細な説明】
【技術分野】
【０００１】
本発明は、例えば住所、氏名やＩＤ、暗証番号などの個人情報をやりとりする郵便はがきなどの通信シート、及びこのような通信シートを備えた通信シート用プリンター用紙に関するものである。
【背景技術】
【０００２】
住所、氏名やＩＤ、暗証番号などの個人情報をやりとりする郵便はがきなどの通信シートとして、一般に通信内容を記載可能な通信片と、この通信片の隠蔽すべき記載面に粘着される隠蔽シート片とを備えたものが知られている。
【０００３】
このような通信シートにおいては、一般に、隠蔽シート片は、表面に設けられた微粘着層と、この粘着層を覆うように設けられた剥離紙とを備えており、使用にあたっては剥離紙を微粘着層から剥がし、露出した微粘着層を、通信片に粘着させるようにして、隠蔽シート片で通信片の通信内容記載面を覆って住所、氏名やＩＤ、暗証番号などの個人情報を判読不能にしている。
【０００４】
例えば、特許文献１には、一面に往信時宛名表示領域が設けられるとともに他面に往信時情報領域が設けられた往信用葉書片と、一面に返信時宛名表示領域が設けられるとともに他面に返信時情報領域が設けられた返信用葉書片と、この返信用葉書片と往信用葉書片との間に折部を介して連設された連結片とを備え、これらの紙片をＺ折りして往信用葉書片と連結片との重ね合わせ面および連結片と返信用葉書片との重ね合わせ面には剥離可能な接着剤層が設けられ、連結片には隠蔽ラベルを切り用ミシン目で区画形成するとともにこの隠蔽ラベルの一面には剥離可能で再粘着、再剥離可能な粘着層が設けられた往復郵便はがきの技術が開示されている。
【特許文献１】特開２００４−１２２６６６号公報
【発明の開示】
【発明が解決しようとする課題】
【０００５】
しかしながら、前者の特許文献１に開示された通信シートの技術では、粘着層として、再接着可能な微粘着層を用いているので、第三者が、通信経路の途上で隠蔽シート片を通信片から剥がして個人データにかかる通信内容を読み取ったり、上から書き込むなどの改ざんを行なったりしても、隠蔽シート片が通信片に対して再接着されると通信経路の途上で開封されたことがわからないという不具合があった。
【０００６】
一方、同様の通信シートの技術として、隠蔽シート片の周辺の部分に再接着が困難な強粘着層を設けるとともに、その他の大部分に微粘着層を設け、この強粘着層と微粘着層とを備えた隠蔽シート片で通信片の通信内容記載面を覆うように構成した通信シートも一般に知られている。
【０００７】
このような通信シートでは、第三者が、通信経路の途上で隠蔽シート片を通信片から剥がした場合は、周辺の強粘着層の部分で痕跡が残るので、開封されたことがわかるという利点がある。しかしこのような通信シートでは周辺に強粘着層を設けなければならず、記載可能な範囲が狭められるという不具合があった。また、通信内容記載面において微粘着層に相当する部分では、上から書き込むなどの改ざんを行なうことが可能であるという不具合があった。
【０００８】
本発明は上記不具合に鑑みてなされたものであり、通信経路の途上で隠蔽シート片が通信片から剥がされた場合の第三者による上からの書き込みや改ざんを防止するとともに、隠蔽シート片の通信片に対する再接着を不能にして通信経路の途上で開封されたことが一目瞭然となるようにすることができる記載可能範囲の広い通信シート、及びこのような通信シートを備えた通信シート用プリンター用紙を提供することを課題としている。
【課題を解決するための手段】
【０００９】
上記課題を解決するための本発明に係る通信シートは、通信内容を記載した通信内容記載面を有する通信片と、この通信内容記載面を覆うように通信片に粘着される隠蔽シート片とを備えた通信シートであって、上記隠蔽シート片は、隠蔽シート片の通信片を覆う側に積層された剥離層と、この剥離層の上に設けられた擬似接着層と、この擬似接着層の上に設けられた粘着層と、この粘着層の表面を覆って設けられた剥離紙とを備え、上記隠蔽シート片は、剥離紙が粘着層から剥がされた状態で、露出した粘着層が、通信片の通信内容記載面を覆って粘着可能に構成されているとともに、隠蔽シート片の粘着層が通信片に粘着され、隠蔽シート片が通信片から引っ張られた状態では、隠蔽シート片の粘着層と通信片との粘着は維持したまま剥離層と擬似接着層との間が引き剥がし可能に構成され、隠蔽シート片側の剥離層と通信片側に粘着層を介して粘着されている擬似接着層とが引き剥がされた状態で、透明な粘着層と擬似接着層とを通して通信片の通信内容記載面が判読可能、かつ隠蔽シート片側の剥離層と擬似接着層とが再接着不能に構成されていることを特徴とする通信シートである。
【００１０】
本発明によれば、隠蔽シート片の一番上にある剥離紙を粘着層から剥がして粘着層を露出させ、この状態で隠蔽シート片と通信片とを粘着することにより、通信内容記載面を覆って住所、氏名やＩＤ、暗証番号などの個人データにかかる通信内容を他人の目に触れさせないようにすることができる。
【００１１】
また、この状態から隠蔽シート片と通信片とを引き剥がすと、隠蔽シート片の剥離層と擬似接着層との間で両者が引き剥がされ、通信片側に粘着された透明な粘着層と擬似接着層とを通して通信内容記載面の通信内容を判読することができる。
【００１２】
さらに、この状態では、通信内容記載面の上に透明な粘着層と擬似接着層とが粘着されているので、第三者による上からの書き込みや改ざんができなくなる。
【００１３】
また、一旦、通信片の通信内容記載面が判読された後は、隠蔽シート片側の剥離層と通信片側の擬似接着層とが再接着不能に構成されているので、通信経路の途上で万一開封された場合でも、通信シートを入手した時点で通信内容が読まれたことが一目瞭然となる。その結果、記載された住所、氏名やＩＤ、暗証番号などの個人データを即座に変更するなどの敏速な対応をすることができるようになる。
【００１４】
そして、引き剥がした時に痕跡が残るような強粘着層を隠蔽シート片の周辺に設けるというようなことがないので、通信内容記載面において、記載可能な範囲が広い通信シートを実現することができる。
【００１５】
ここで、上記隠蔽シート片は、折り目を介して通信片に連設されていることが好ましい。
【００１６】
このようにすれば、折り目に沿って隠蔽シート片を通信片側に折り曲げるだけで、精度良く隠蔽シート片と通信片とを粘着することができるようになる。
【００１７】
また、上記隠蔽シート片は、透かし防止のための隠蔽デザインがプリントされ、隠蔽シート片の粘着層が通信片に粘着された状態では、通信内容記載面の通信内容が隠蔽シート片もしくは通信片を透かして判読不能に構成されていることが好ましい。
【００１８】
このようにすれば、隠蔽シート片に透かし防止のための隠蔽デザインがプリントされ、通信内容が隠蔽シート片もしくは通信片を透かして判読することができないように構成されているので、通信経路の途上で記載された住所、氏名やＩＤ、暗証番号などの個人データが第三者により透かし読みされることを防止することができる。
【００１９】
また、上記隠蔽シート片の粘着層は、通信片の通信内容の概ね全体を覆うことができる範囲に設けられていることが好ましい。
【００２０】
このようにすれば、隠蔽シート片の粘着層が、通信内容の概ね全体を覆うことができるので、第三者による上からの書き込みや改ざんを通信内容の全体にわたって抑止することができる。
【００２１】
また、上記通信片は、郵便はがきであって、通信内容記載面の裏面に宛名書き可能に構成されていることが好ましい。
【００２２】
このようにすれば、通信片の通信内容記載面に隠蔽シート片を粘着させるとともに、通信内容記載面の裏面に宛名書きすることにより、透かし防止と隠蔽シート片の再接着不能な郵便はがきとして、通信内容記載面の裏面の宛名に対してそのまま郵送することができるようになる。
【００２３】
また、上記隠蔽シート片は、往信用郵便はがきであって、剥離紙の表面に宛名書き可能に構成され、上記通信片は、返信用郵便はがきであって、通信内容記載面の裏面に宛名書き可能に構成され、これら隠蔽シート片と通信片とが往復郵便はがきを構成していることが好ましい。
【００２４】
このようにすれば、隠蔽シート片の剥離紙の表面に宛名書きすることにより、往復郵便はがきの往信用郵便はがきとして剥離層の表面の宛名に対して郵送することができるようになる。また、通信片の通信内容記載面の裏面に宛名書きすることにより、透かし防止と隠蔽シート片の再接着不能な返信用郵便はがきとして、通信内容記載面の裏面の宛名に対して郵送することができるようになる。
【００２５】
また、この通信シートは、バインダーに適用可能なバインダー孔を有するバインダー孔部を備え、バインダーに収納可能に構成されていることが好ましい。
【００２６】
このようにすれば、バインダー孔部のバインダー孔を介して通信シートをバインダーに綴じることができるので、収納性が良く保存に便利な通信シートを実現することができる。
【００２７】
また、上記課題を解決するための本発明に係る通信シート用プリンター用紙は、上記通信シートを少なくとも１個備え、プリンターの出力用紙としてプリンターに補給して、通信片の通信内容記載面と隠蔽シート片の剥離紙の表面との両方もしくは一方にプリント可能に構成されていることを特徴とするものである。
【００２８】
本発明によれば、この通信シート用プリンター用紙をプリンターに補給して、通信片の通信内容記載面にプリントすることにより、さまざまな通信様式の通信シートを大量に作成できる。また、隠蔽シート片の剥離層の表面にプリントすることにより、例えば、一度に多くの宛名を書くなど、通信シートの大量処理が可能になる。
【００２９】
また、この通信シート用プリンター用紙は、スプロケット給紙方式のプリンターに適用可能なスプロケット係合部を備え、プリンターの連続出力用紙としてプリンターに補給して、通信片の通信内容記載面と隠蔽シート片の剥離紙の表面との両方もしくは一方にプリント可能に構成されていることが好ましい。
【００３０】
このようにすれば、この通信シート用プリンター用紙は、プリンターの連続出力用紙としてプリンターに補給して通信シートの大量処理をすることができるようになる。
【発明の効果】
【００３１】
以上説明したように、本発明によれば、通信経路の途上で隠蔽シート片が通信片から剥がされた場合の第三者による上からの書き込みや改ざんを防止するとともに、隠蔽シート片の通信片に対する再接着を不能にして通信経路の途上で開封されたことが一目瞭然となるようにすることができる記載可能範囲の広い通信シート、及びこのような通信シートを備えた通信シート用プリンター用紙を実現することができる。
【発明を実施するための最良の形態】
【００３２】
以下、添付図面を参照しながら本発明の好ましい実施の形態について詳述する。図１は本発明の実施の形態に係る通信シート１の構成を示す斜視図であり、図２は本発明の実施の形態に係る通信シート１を図１の裏方向から見た斜視図である。また、図３は本発明の実施の形態に係る通信シート１の概略の構成を示す上面図である。
【００３３】
図１を参照して、図示の本発明の実施の形態に係る通信シート１は、本実施形態では、往復郵便はがきを構成するものであり、通信片２と、この通信片２に折り目２ａを介して連設される隠蔽シート片３と、通信片２にミシン目２ｂを介して連設され、バインダー孔４ａを有するバインダー孔部４とを備えている。
【００３４】
また、隠蔽シート片３は、図３に示すように、剥離層５と、この剥離層５の上に設けられた擬似接着層６と、この擬似接着層６の上に設けられた粘着層７と、この粘着層７の表面を覆って設けられた剥離紙８とを備えている。なお、当実施形態の通信シート１は、往復郵便はがきとしての投函を可能にするため、その総量が２ｇ以上６ｇ以下に設定されている。
【００３５】
上記通信片２は、この往復郵便はがきを構成する通信シート１の返信用郵便はがきに相当する紙片であって、隠蔽すべき通信内容を記載した通信内容記載面２ｃを有するとともに、この通信内容記載面２ｃの裏面２ｄ（図２）に返信用の宛名書きができるように構成されている。本実施形態では、往復郵便はがきの送信者によって通信片２において通信内容記載面２ｃの裏面２ｄに返信用の宛名すなわち、往復郵便はがきの送信者の住所、名前があらかじめ印字されている。
【００３６】
上記隠蔽シート片３は、往信用郵便はがきであって、剥離紙８の表面に往信用の宛名書きができるように構成されている。本実施形態では、往復郵便はがきの送信者によって剥離紙８の表面に往信用の宛名すなわち、往復郵便はがきの受領者の住所、名前があらかじめ印字されている。
【００３７】
この隠蔽シート片３は、この往復郵便はがきを構成する通信シート１が到着して受領者によって通信片２の通信内容記載面２ｃに住所、氏名やＩＤ、暗証番号などの個人情報が記入された後、受領者によって剥離紙８が剥がされるとともに、通信内容記載面２ｃを覆うように粘着層７が通信片２に粘着されるように構成されている。
【００３８】
この隠蔽シート片３は、図２に示すように、透かし防止のための隠蔽デザイン３ａがプリントされ、隠蔽シート片３の粘着層７が通信片２に粘着された状態では、通信内容記載面２ｃの通信内容が隠蔽シート片３もしくは通信片２を透かして判読不能に構成されている。
【００３９】
上記バインダー孔部４は、バインダーに適用可能なバインダー孔４ａを有し、通信シート１は、このバインダー孔４ａを介してバインダーに綴じて収納することができるように構成されている。
【００４０】
上記剥離層５は、隠蔽シート片３の粘着層７が通信片２に粘着され、隠蔽シート片３が通信片２から引っ張られた状態では、隠蔽シート片３の粘着層７と通信片２との粘着は維持したまま剥離層５と擬似接着層６との間が引き剥がすことができるように、隠蔽シート片３の通信片２を覆う側に積層された層である。この剥離層５は、硬化することにより剥離容易な面を形成するものとして、ここでは紫外線の照射によって硬化するＵＶインキが用いられている。
【００４１】
剥離層５は、具体的には、ＵＶインキとして、感光性樹脂、感光性モノマー、光重合開始剤を含み、離型性向上のためにシリコン剤、ワックスなどの離型剤を含んだものが用いられるが、この離型剤の含有率は、離型剤の種類等によって異なる。シリコン剤を用いる場合には、離型性を向上させるため、１〜１０％の範囲内に設定されるのが好ましく、また２〜５％の範囲内に設定されるのがさらに好ましい。
【００４２】
また、このＵＶインキには、必要に応じて可塑剤、レベリング剤、安定剤などの補助剤が添加される。
【００４３】
そして、このＵＶインキをオフセット印刷などにより隠蔽シート片３に塗布して紫外線を照射することによりＵＶインキを硬化定着させて、隠蔽シート片３の裏面上に剥離層５を積層させる。
【００４４】
上記擬似接着層６は、剥離層５と粘着層７との間に位置する透明な中間層であり、粘着層７を介して粘着された隠蔽シート片３と通信片２とが剥離される際に、擬似接着層６と剥離層５とがスムースに剥離されるとともに、再粘着されることを防止するために設けられている。
【００４５】
この疑似接着層６は、紫外線の照射によって硬化するＵＶインキが用いられる。本実施形態ではＵＶインキとして、ポリウレタンアクリレートなどの感光性樹脂、アクリレートモノマーなどの感光性モノマー、光重合開始剤を含み、接着力を調整するために体質顔料を含んだものが用いられている。
【００４６】
また、このＵＶインキには、必要に応じて安定剤、沈降防止剤、レベリング剤などの補助剤が添加される。
【００４７】
ここで、体質顔料の含有率は、３〜３５％の範囲内に設定されるのが好ましく、また５〜２５％の範囲内に設定されるのがさらに好ましい。
【００４８】
そして、このＵＶインキをフレキソ印刷などにより剥離層５上に２〜５０μｍ（マイクロメートル）、好ましくは４〜３０μｍ（マイクロメートル）の厚さで塗布し、紫外線を照射して硬化定着させることにより剥離層５上に疑似接着層６の薄膜を積層させる。
【００４９】
このようにして形成された疑似接着層６は、剥離層５とは、再接着が困難な性質を有する。
【００５０】
上記粘着層７は、擬似接着層６の上に設けられ、剥離紙８が取り除かれた後に所定の粘着力で通信片２に粘着させることができるように構成された透明な層であり、通信片２の通信内容の概ね全体を覆うことができる範囲に設けられる。
【００５１】
この粘着層７は、水性粘着剤又は油性粘着剤のどちらでも用いることができる。例えば水性粘着剤として水性アクリル樹脂に補助剤が添加されたものを用いることができるし、或いは油性粘着剤として感光性樹脂、感光性モノマー、光重合開始剤に補助剤が添加されたものを用いることもできる。本実施形態では、アクリル系エマルジョン型粘着剤、アクリル系用剤型粘着剤やシリコン系粘着剤などが用いられ、この粘着剤をフレキソ印刷などにより塗布して、疑似接着層６上に粘着層７を積層させるように構成されている。
【００５２】
上記剥離紙８は、使用時まで、粘着層７の表面を覆って粘着層７を保護して粘着層７の粘着性を維持させるためのものであり、この剥離紙８は、粘着層７との当接面がシリコン等によってコートされ、この粘着層７に対して良好な離型性を有するものとなされている。当実施形態では、隠蔽シート片３の一面の略全面にわたって粘着層７が設けられているので、剥離紙８もこれに対応して設けられている。
【００５３】
そして、隠蔽シート片３は、剥離紙８が粘着層７から剥がされた状態で、露出した粘着層７が、通信片２の通信内容記載面２ｃに粘着して覆うようになっている。
【００５４】
ここで、剥離層５と疑似接着層６との間の接着力Ｆ１、疑似接着層６と粘着層７との間の粘着力Ｆ２、粘着層７と剥離紙８との間の粘着力Ｆ３、粘着層７と通信片２との間の粘着力Ｆ４、相互の関係について説明する。
【００５５】
本実施形態では、剥離層５と疑似接着層６との間の接着力Ｆ１が、Ｆ３＜Ｆ１＜Ｆ２、Ｆ１＜Ｆ４となるように各層の成分やその比率等が調整されている。具体的には、Ｆ１が、２８０〜８００ｇ（好ましくは３００〜６００ｇ）の範囲内で設定され、Ｆ２が１０００〜１４００ｇの範囲内で設定され（好ましくは１２００ｇ）ている。また、Ｆ３は、１００〜２９０ｇの範囲内で、好ましくは２５０ｇに設定されているのがよい。さらに、粘着力Ｆ４は、１０００〜１４００ｇの範囲内（好ましくは１２００ｇ）で設定されている。なお、ここでいう接着力及び粘着力は、常温下で、幅２５ｍｍの試料を用いて剥離速度３００ｍｍ／ｍｉｎの１８０度ピールテストで測定した場合の値で示している。
【００５６】
これにより、隠蔽シート片３を通信片２から剥離させると、接着力（粘着力）がＦ２、Ｆ４より小さいＦ１の剥離層５と疑似接着層６との間で層間剥離を生じることになる。また、Ｆ３が最も接着力（粘着力）が小さいので、スムースに粘着層７から剥離紙８を剥がすことができるようになっている。
【００５７】
次に、図４〜図９を参照して、本発明の実施の形態に係る通信シート１の使用手順について説明する。図４〜図９は本発明の実施の形態に係る通信シート１の使用手順を示す説明図である。
【００５８】
まず、図３に示すように、本発明の実施の形態に係る通信シート１は、使用前は、バインダー孔部４のバインダー孔４ａを介して図略のバインダーに綴じて収納されている。
【００５９】
次に、図４は、通信シート１のバインダー孔部４をミシン目２ｂを境にして取り除いた状態を示す上面図である。剥離紙８は、粘着層７の表面を覆っており、粘着層７の粘着性が維持されている。
【００６０】
そして、剥離層５の表面に往信用の宛名が印字もしくは記入され、往復郵便はがきとしてポストに投函される。通信シート１が到着すると、受領者によって通信片２の通信内容記載面２ｃに、受領者の住所、氏名やＩＤ、暗証番号などの個人情報にかかる隠蔽すべき通信内容が記載される。
【００６１】
図５は、受領者が通信内容記載面２ｃに隠蔽すべき通信内容を記載した後、通信片２に対して隠蔽シート片３を粘着するために、受領者によって通信シート１の剥離紙８が端部から引き剥がされ始めた状態を示す上面図である。この時、粘着層７と剥離紙８との間の粘着力Ｆ３が最も接着力が小さいので、スムースに粘着層７から剥離紙８を剥がすことができる。
【００６２】
そして、図６は、通信シート１の剥離紙８を引き剥がした後の状態を示す上面図である。この剥離紙８が取り除かれた状態で、露出した粘着層７は、通信片２の隠蔽すべき通信内容の概ね全体を覆うように通信片２に粘着させることができる。
【００６３】
図７は、通信シート１の通信片２に対して隠蔽シート片３を粘着した状態を示す上面図であり、図８は、図７の斜視図である。
【００６４】
このように、隠蔽シート片３は、この往復郵便はがきを構成する通信シート１の到着後、受領者によって通信片２の通信内容記載面２ｃを覆うように通信片２に粘着される。この時、隠蔽シート片３は、所定の粘着力で通信片２に粘着されており、隠蔽シート片３にプリントされた隠蔽デザイン３ａにより、通信内容記載面２ｃの通信内容が隠蔽シート片３もしくは通信片２を透かして判読することができなくなっている。
【００６５】
また、通信内容記載面２ｃの裏面２ｄには、返信用の宛名すなわち、往復郵便はがきの送信者の住所、名前が既に印字されているので、この状態で、受領者によって往復郵便はがきの送信者向けに返信用郵便はがきとして投函される。
【００６６】
図９は、返信用郵便はがきを再び手にした往復郵便はがきの送信者によって、通信片２から隠蔽シート片３が引き剥がされた状態を示す上面図である。このように、隠蔽シート片３の粘着層７が通信片２に粘着され、隠蔽シート片３が通信片２から引っ張られた状態では、隠蔽シート片３の粘着層７と通信片２との粘着は維持したまま剥離層５と擬似接着層６との間が引き剥がされ、透明な粘着層７と擬似接着層６とを通して通信片２の通信内容記載面２ｃを判読することができるようになる。また、この状態では、隠蔽シート片３側の剥離層５と擬似接着層６とを再接着することができなくなる。
【００６７】
以上説明したように、本発明の実施の形態に係る通信シート１によれば、隠蔽シート片３の一番上にある剥離紙８を粘着層７から剥がして粘着層７を露出させ、この状態で隠蔽シート片３と通信片２とを粘着することにより、通信内容記載面２ｃを覆って住所、氏名やＩＤ、暗証番号などの個人データにかかる通信内容を他人の目に触れさせないようにすることができる。
【００６８】
また、この状態から隠蔽シート片３と通信片２とを引き剥がすと、隠蔽シート片３の剥離層５と擬似接着層６との間で両者が引き剥がされ、通信片２側に粘着された透明な粘着層７と擬似接着層６とを通して通信内容記載面２ｃの通信内容を判読することができる。
【００６９】
さらに、この状態では、通信内容記載面２ｃの上に透明な粘着層７と擬似接着層６とが粘着されているので、第三者による上からの書き込みや改ざんができなくなる。
【００７０】
また、一旦、通信片２の通信内容記載面２ｃが判読された後は、隠蔽シート片３側の剥離層５と通信片２側の擬似接着層６とが再接着不能に構成されているので、通信経路の途上で万一開封された場合でも、通信シートを入手した時点で通信内容が読まれたことが一目瞭然となる。その結果、記載された住所、氏名やＩＤ、暗証番号などの個人データを即座に変更するなどの敏速な対応をすることができるようになる。
【００７１】
そして、引き剥がした時に痕跡が残るような強粘着層７を隠蔽シート片３の周辺に設けるというようなことがないので、通信内容記載面２ｃにおいて、記載可能な範囲が広い通信シート１を実現することができる。
【００７２】
また、通信シート１によれば、折り目２ａに沿って隠蔽シート片３を通信片２側に折り曲げるだけで、精度良く隠蔽シート片３と通信片２とを粘着することができるようになる。
【００７３】
また、隠蔽シート片３に透かし防止のための隠蔽デザイン３ａがプリントされ、通信内容が隠蔽シート片３もしくは通信片２を透かして判読することができないように構成されているので、通信経路の途上で記載された住所、氏名やＩＤ、暗証番号などの個人データが第三者により透かし読みされることを防止することができる。
【００７４】
また、隠蔽シート片３の粘着層７が、通信内容の概ね全体を覆うことができるので、第三者による上からの書き込みや改ざんを通信内容の全体にわたって抑止することができる。
【００７５】
さらに、通信片２の通信内容記載面２ｃに隠蔽シート片３を粘着させるとともに、通信内容記載面２ｃの裏面２ｄに宛名書きすることにより、透かし防止と隠蔽シート片３の再接着不能な郵便はがきとして、通信内容記載面２ｃの裏面２ｄの宛名に対してそのまま郵送することができるようになる。
【００７６】
そして、隠蔽シート片３の剥離紙８の表面に宛名書きすることにより、往復郵便はがきの往信用郵便はがきとして剥離層５の表面の宛名に対して郵送することができるようになる。また、通信片２の通信内容記載面２ｃの裏面２ｄに宛名書きすることにより、透かし防止と隠蔽シート片３の再接着不能な返信用郵便はがきとして、通信内容記載面２ｃの裏面２ｄの宛名に対して郵送することができるようになる。
【００７７】
また、バインダー孔部４のバインダー孔４ａを介して通信シート１をバインダーに綴じることができるので、収納性が良く保存に便利な通信シート１を実現することができる。
【００７８】
上述した実施の形態は本発明の好ましい具体例を例示したものに過ぎず、本発明は上述した実施の形態に限定されない。
【００７９】
例えば、通信シート１は、本実施形態では、往復郵便はがきを構成するものとしたが、必ずしも往復郵便はがきに限定されず、通常の郵便はがきでも良いし、あるいは封筒に入れて郵送されるための単なる記入シートの類でも良い。また、バインダー孔部４も必須ではない。
【００８０】
例えば、図１０は、通信シート１の変形例である通信シート２１の構成を示す斜視図であり、図１１は、変形例に係る通信シート２１を図１０の裏方向から見た斜視図である。
【００８１】
図１０と図１１とを参照して、図示の変形例に係る通信シート２１は、通常の片道用郵便はがきを構成するものであり、通信片２２と、この通信片２２に折り目２２ａを介して連設される隠蔽シート片２３と、通信片２２にミシン目２２ｂを介して連設されている。
【００８２】
また、隠蔽シート片２３が、図３に示すような剥離層５と、この剥離層５の上に設けられた擬似接着層６と、この擬似接着層６の上に設けられた粘着層７と、この粘着層７の表面を覆って設けられた剥離紙２８とを備えているのは、隠蔽シート片３と同様である。
【００８３】
ここで、変形例に係る通信シート２１においては、上記通信片２２は、郵便はがきを構成する紙片であって、隠蔽すべき通信内容を記載した通信内容記載面２２ｃを有するとともに、この通信内容記載面２２ｃの裏面２２ｄ（図１０）に郵送用の宛名書きができるように構成されている。
【００８４】
また、上記隠蔽シート片２３において、剥離紙２８には、「剥離紙２８の表面に剥離紙２８を剥がして張り合わせて下さい」とのメッセージと、「剥離紙２８が最接着できない」旨のメッセージがあらかじめ印刷されているとともに、裏面の隠蔽デザイン２３ａと同様に、透かし防止のための隠蔽デザインがプリントされている。
【００８５】
この隠蔽シート片２３は、通信シート１と同様に、通信片２２の通信内容記載面２２ｃに住所、氏名やＩＤ、暗証番号などの個人情報が記入された後、剥離紙２８が剥がされるとともに、通信内容記載面２２ｃを覆うように粘着層７が通信片２２に粘着されるように構成されている。
【００８６】
また、剥離層５や擬似接着層６の主要成分は、必ずしもＵＶインキに限定されない。硬化することにより剥離容易な面を形成するものであれば、その材料は種々の設計変更が可能である。
【００８７】
また、同様に、擬似接着層６に用いられるＵＶインキの光重合開始剤は、一種だけでなく、二種、又は三種など複数種を混合して用いてもよい。このように複数種の光重合開始剤を用いることにより、硬化速度等を適宜調整することができる。
【００８８】
さらに、体質顔料についても、一種だけでなく、二種、又は三種など複数種を混合して用いてもよい。
【００８９】
また、擬似接着層６に用いられるＵＶインキとして株式会社エバー化学研究所の「エバービームＪ２−Ｓ３４」（商品名）などを用いることもできる。
【００９０】
また、各層の積層方法は、フレキソ印刷や、オフセット印刷だけに限られるものではなく、シルクスクリーン印刷やグラビア印刷などのその他公知の手法を用いるものであってもよい。
【００９１】
また、通信シートは必ずしも１枚1枚独立したものである必要もない。複数の通信シート１が集合した態様も採用可能である。例えば、図１２は、複数の通信シート１が集合して形成された通信シート用プリンター用紙３１の概略の構成を示す斜視図である。
【００９２】
図１２に示すように、通信シート用プリンター用紙３１は、スプロケット給紙方式の図略のプリンターに適用可能なスプロケット孔３２ａを有するスプロケット係合部３２を備えるとともに、複数の通信シート１がミシン目３１ａ等で分離可能な状態で形成されている。この通信シート用プリンター用紙３１は、スプロケット給紙方式のプリンターの連続出力用紙としてプリンターに補給されて、通信片２の通信内容記載面２ｃと隠蔽シート片３の剥離紙８の表面との両方もしくは一方にプリントできるように構成されている。
【００９３】
この通信シート用プリンター用紙３１によれば、通信シート用プリンター用紙３１をプリンターに補給して、通信片２の通信内容記載面２ｃにプリントすることにより、さまざまな通信様式の通信シートを大量に作成できる。また、隠蔽シート片３の剥離紙８の表面にプリントすることにより、例えば、一度に多くの宛名を書くなど、通信シートの大量処理が可能になる。
【００９４】
また、図１３は、通信シート用プリンター用紙３１の第１の変形例である通信シート用プリンター用紙４１の概略の構成を示す斜視図である。
【００９５】
図１３に示すように、第１の変形例に係る通信シート用プリンター用紙４１においては、隠蔽シート片４３に、スプロケット孔４２ａが設けられ、スプロケット係合部４２側になるように構成されている。この通信シート用プリンター用紙４１においては、隠蔽シート片４３に対して剥離紙８を追加するように加工する際に、スプロケット係合部４２のスプロケット孔４２ａにより位置合わせし易くなるので、製作が容易になるという利点がある。
【００９６】
さらに図１４は、通信シート用プリンター用紙３１の第２の変形例である通信シート用プリンター用紙５１の概略の構成を示す斜視図である。
【００９７】
図１４に示すように、第２の変形例に係る通信シート用プリンター用紙５１においては、通信片２の通信内容記載面５２ｃの表面は白紙の状態に構成されており、用途に応じて自由な様式に印字をすることができるという利点がある。
【００９８】
その他、本発明の特許請求の範囲内で種々の設計変更が可能であることはいうまでもない。
【図面の簡単な説明】
【００９９】
【図１】本発明の実施の形態に係る通信シートの構成を示す斜視図である。
【図２】本発明の実施の形態に係る通信シートを図１の裏方向から見た斜視図である。
【図３】本発明の実施の形態に係る通信シートの概略の構成を示す上面図である。
【図４】通信シートのバインダー孔部をミシン目を境にして取り除いた状態を示す上面図である。
【図５】受領者が通信内容記載面に隠蔽すべき通信内容を記載した後、通信片に対して隠蔽シート片を粘着するために、受領者によって通信シートの剥離紙が端部から引き剥がされ始めた状態を示す上面図である。
【図６】通信シートの剥離紙を引き剥がした後の状態を示す上面図である。
【図７】通信シートの通信片に対して隠蔽シート片を粘着した状態を示す上面図である。
【図８】図７の斜視図である。
【図９】返信用郵便はがきを再び手にした往復郵便はがきの送信者によって、通信片から隠蔽シート片が引き剥がされた状態を示す上面図である。
【図１０】通信シートの変形例の構成を示す斜視図である。
【図１１】変形例に係る通信シートを図１０の裏方向から見た斜視図である。
【図１２】複数の通信シートが集合して形成された通信シート用プリンター用紙の概略の構成を示す斜視図である。
【図１３】通信シート用プリンター用紙の第１の変形例の概略の構成を示す斜視図である。
【図１４】通信シート用プリンター用紙の第２の変形例の概略の構成を示す斜視図である。
【符号の説明】
【０１００】
１    通信シート
２    通信片
２ｃ  通信内容記載面
３    隠蔽シート片
３ａ  隠蔽デザイン
４    バインダー孔部
４ａ  バインダー孔
５    剥離層
６    擬似接着層
７    粘着層
８    剥離紙
１１  通信シート用プリンター用紙
１２  スプロケット係合部
【図１】
2008265129.tif 000003
【図２】
2008265129.tif 000004
【図３】
2008265129.tif 000005
【図４】
2008265129.tif 000006
【図５】
2008265129.tif 000007
【図６】
2008265129.tif 000008
【図７】
2008265129.tif 000009
【図８】
2008265129.tif 000010
【図９】
2008265129.tif 000011
【図１０】
2008265129.tif 000012
【図１１】
2008265129.tif 000013
【図１２】
2008265129.tif 000014
【図１３】
2008265129.tif 000015
【図１４】
2008265129.tif 000016